(57)【要約】【課題】重く且つ点で荷重が加わる荷物であっても容易に運搬することができる運搬具を提供する。【解決手段】床面に敷設される下敷マットと、前記下敷マットの上面に載置される運搬マット２０とを備え、運搬マット２０に取り付けられた左右の把手ベルト２３Ｌ，２３Ｒを引っ張って運搬マット２０を前記下敷マットの上面を滑らせることにより、運搬マット２０の上面に載置された荷物を運搬する運搬具であって、運搬マット２０は、面方向に延びて平板部材３０を着脱可能なポケット２８を備えて構成される。【選択図】図５
2017030964.tif 000002
【特許請求の範囲】
【請求項１】
床面に敷設される下敷マットと、前記下敷マットの上面に載置される運搬マットとを備え、前記運搬マットに取り付けられた把手部材を引っ張って前記運搬マットを前記下敷マットの上面を滑らせることにより、前記運搬マットの上面に載置された荷物を運搬する運搬具であって、
前記運搬マットは、面方向に延びて平板部材を着脱可能なポケットを備えたことを特徴とする運搬具。
【請求項２】
前記ポケットは、前記運搬マットの面を複数に分割して並んで設けられ、前記複数のポケットにそれぞれ平板部材が着脱可能であることを特徴とする請求項１に記載の運搬具。
【請求項３】
床面に敷設される下敷マットと、前記下敷マットの上面に載置される運搬マットとを備え、前記運搬マットに取り付けられた把手部材を引っ張って前記運搬マットを前記下敷マットの上面を滑らせることにより、前記運搬マットの上面に載置された荷物を運搬する運搬具であって、
前記把手部材の前記運搬マットへの取り付け位置が、前記運搬マットの左端部および右端部に配置されたことを特徴とする運搬具。
【請求項４】
前記把手部材は、前記運搬マットの内部を後端側まで延びるとともに前記運搬マットに結合して取り付けられたことを特徴とする請求項３に記載の運搬具。
【請求項５】
前記把手部材は、前記運搬マットの後端部から突出して後側把手部を形成することを特徴とする請求項４に記載の運搬具。
【請求項６】
前記把手部材を引っ張って前記運搬マットを前記下敷マットの上面を滑らせる方向の摩擦係数が、前記滑らせる方向と直交する方向の摩擦係数よりも小さくなるように、前記下敷マットの上面の生地および前記運搬マットの下面の生地の方向特性の組み合わせが設定されていることを特徴する請求項１〜５のいずれか一項に記載の運搬具。
【請求項７】
前記平板部材は、樹脂材料等から作られ、耐荷重性を有していることを特徴とする請求項１〜６のいずれか一項に記載の運搬具。
【発明の詳細な説明】
【技術分野】
【０００１】
本発明は、床面に敷設されてその上に載置された荷物を運搬する運搬具に関する。
【背景技術】
【０００２】
上記のような運搬具の一例として、床面に敷設される搬送パットと、その搬送パット上に載置されるスライドプレートとを有し、スライドプレートを搬送パット上を滑らせることにより、スライドプレート上に載置された荷物を搬送するものが知られている（例えば、特許文献１を参照）。特許文献１に記載の運搬具は、搬送パットおよびスライドプレートが、ポリプロピレン発泡樹脂等の硬質発泡樹脂シートを用いて形成されているが、小さく折り畳んで持ち運びを容易とするため、布製の下敷マットおよび運搬マットからなる運搬具も知られている。
【先行技術文献】
【特許文献】
【０００３】
【特許文献１】特開２００２‐２８４３２１号公報
【発明の概要】
【発明が解決しようとする課題】
【０００４】
上記のように、布製の下敷マットおよび運搬マットからなる運搬具では、小さく折り畳んで容易に持ち運ぶことができるという利点があるが、例えば冷蔵庫や洗濯機等のように、重く且つ点で荷重が加わる荷物を運搬するときには、運搬マットに点荷重による窪みが生じるため、運搬マットが下敷マット上を滑り難くなり、運搬し難くなるという問題があった。
【０００５】
本発明はこのような課題に鑑みてなされたものであり、重く且つ点で荷重が加わる荷物であっても容易に運搬することができる運搬具を提供することを目的とする。
【課題を解決するための手段】
【０００６】
上記目的を達成するため、本発明に係る運搬具は、床面に敷設される下敷マットと、前記下敷マットの上面に載置される運搬マットとを備え、前記運搬マットに取り付けられた把手部材（例えば、実施形態における把手ベルト２３Ｌ，２３Ｒ）を引っ張って前記運搬マットを前記下敷マットの上面を滑らせることにより、前記運搬マットの上面に載置された荷物を運搬する運搬具であって、前記運搬マットは、面方向に延びて平板部材を着脱可能なポケットを備えて構成される。
【０００７】
上記構成の運搬具において、前記ポケットは、前記運搬マットの面を複数に分割して並んで設けられ、前記複数のポケットにそれぞれ平板部材が着脱可能に構成されることが好ましい。
【０００８】
また、本発明に係る運搬具は、床面に敷設される下敷マットと、前記下敷マットの上面に載置される運搬マットとを備え、前記運搬マットに取り付けられた把手部材を引っ張って前記運搬マットを前記下敷マットの上面を滑らせることにより、前記運搬マットの上面に載置された荷物を運搬する運搬具であって、前記把手部材の前記運搬マットへの取り付け位置が、前記運搬マットの左端部および右端部に取り付けられて構成される。
【０００９】
上記構成の運搬具において、前記把手部材は、前記運搬マットの内部を後端側まで延びて取り付けられることが好ましい。またこのとき、前記把手部材は、前記運搬マットの後
端部から突出して後側把手部を形成することが好ましい。
【００１０】
上記構成の運搬具において、前記把手部材を引っ張って前記運搬マットを前記下敷マットの上面を滑らせる方向の摩擦係数が、前記滑らせる方向と直交する方向の摩擦係数よりも小さくなるように、前記下敷マットの上面の生地および前記運搬マットの下面の生地の方向特性の組み合わせが設定されていることが好ましい。
【００１１】
上記構成の運搬具において、前記平板部材は、樹脂材料等から作られ、耐荷重性を有していることが好ましい。なお、この耐荷重性とは、荷物の荷重が加わったときに容易に変形しない程度の剛性を有することである。さらには、荷物を載置して点荷重が加わったときに、その点荷重によって容易に窪まない程度の剛性を有することである。
【発明の効果】
【００１２】
本発明に係る運搬具によれば、運搬マットが面方向に延びて平板部材を着脱可能なポケットを備えて構成されるため、例えば冷蔵庫や洗濯機等のように、重く且つ点で荷重が加わる荷物を運搬するときには、ポケットに平板部材を装着することにより、平板部材が点荷重を受け止めて、運搬マットの下面に点荷重による窪みが生じるのを防ぐことができる。そのため、重く且つ点で荷重が加わる荷物であっても、運搬マットが下敷マット上を滑り難くなることを防ぐことができ、容易に運搬することができる。
【００１３】
また、前記ポケットが運搬マットの面を複数に分割して並んで設けられ、それら複数のポケットにそれぞれ平板部材が着脱可能である構成とすれば、それぞれのポケットに平板部材を装着したままの状態であっても、運搬マットを小さく折り畳むことができ、運搬具を容易に持ち運ぶことができる。
【００１４】
また、本発明に係る運搬具によれば、把手部材の運搬マットへの取り付け位置が、運搬マットの左端部および右端部に配置された構成であるため、把手部材を持って引っ張ったときに、運搬マットの左端部および右端部が捲り上がった状態となり、その捲り上がった部分によって運搬マット上の荷物の前方側左右端部をそれぞれ包み込む状態とすることができる。そのため、運搬時に荷物の前方側左右端部が周囲の壁等に衝突しても、運搬マットがクッションとなって荷物および壁等が損傷することを防ぐことができる。
【００１５】
また、把手部材が運搬マットの内部を後端側まで延びるとともに運搬マットに結合して取り付けられる構成とすれば、把手部材の運搬マットへの取り付け強度を向上させることができる。またこのとき、把手部材が運搬マットの後端部から突出して後側把手部を形成する構成とすれば、運搬マットの後端部に新たな把手部材を取り付けることなく、後端部側にも把手部を設けることができる。
【００１６】
また、把手部材を引っ張って運搬マットを下敷マットの上面を滑らせる方向の摩擦係数が、前記滑らせる方向と直交する方向の摩擦係数よりも小さくなるように、下敷マットの上面の生地および運搬マットの下面の生地の方向特性の組み合わせが設定される構成とすれば、下敷マットに対する運搬マットの滑りが良くなり、運搬がより一層容易になる運搬具とすることができる。なお、生地（布地）は、織り方もしくは編み方によって方向特性があり、接する２枚の生地の方向特性の組み合わせによって摩擦係数が大きく異なる場合がある。
【図面の簡単な説明】
【００１７】
【図１】本発明に係る運搬具の斜視図である。
【図２】本発明に係る運搬具を構成する下敷マットの平面図である。
【図３】本発明に係る運搬具を構成する運搬マットの平面図である。
【図４】上記運搬マットの底面図である。
【図５】上記運搬マットに形成されたポケットおよびそのポケットに装着される平板部材を示す運搬マットの底面図である。
【図６】上記ポケットおよび平板部材を示す運搬マットの要部拡大斜視図である。
【図７】本発明に係る運搬具を用いて荷物を運搬するときの状態を示す斜視図である。
【図８】上記下敷マットを運搬マット内に収納するときの状態を示す平面図である。
【図９】上記下敷マットを運搬マット内に収納したときの状態を示す平面図である。
【発明を実施するための形態】
【００１８】
以下、図面を参照して本発明の実施形態について説明する。本実施形態に係る運搬具１は、図１に示すように、床面に敷設される下敷マット１０と、下敷マット１０の上面に載置される運搬マット２０とを備えて構成される。運搬具１は、運搬マット２０に取り付けられた左右の把手ベルト２３Ｌ，２３Ｒを引っ張って運搬マット２０を下敷マット１０の上面を滑らせることにより、運搬マット２０の上面に載置された荷物を運搬するものである。
【００１９】
下敷マット１０は、図２に示すように、荷物を運搬する方向（以下では、前後方向と称する）に延びて敷設される長尺矩形状のマット部材である。下敷マット１０は、床面と接する下生地１１と運搬マット２０と接する上生地１２の間に、ポリエステル１００％の綿と発砲ポリエチレンを積層して、下生地１１と上生地１２を縫い合わせた多重層構造となっている。下生地１１は、ポリエステル繊維に塩化ビニール発砲体を被覆した生地が用いられており、床面に対してずれて動くことを防止可能な素材が用いられている。上生地１２は、ポリエステル１００％のトロピカル生地が用いられている。
【００２０】
運搬マット２０は、図３および図４に示すように、下敷マット１０よりも運搬方向に短い矩形状のマット部材である。運搬マット２０は、荷物が載置される側のマット上部２１と、マット上部２１の下敷マット１０側の面（下面）に縫い付けられた左右のマット下部２５Ｌ，２５Ｒとを有して構成される。マット上部２１は、荷物と接する上生地２２とポリエステル１００％のポンジ生地（図示せず）の間に、発砲ポリエチレンとポリエステル１００％の綿を積層して、上生地２２と上記ポンジ生地を縫い合わせて構成されている。上生地２２は、ポリエステル１００％のトロピカル生地が用いられている。
【００２１】
左右のマット下部２５Ｌ，２５Ｒはそれぞれ、前後寸法がマット上部２１と略同じ長さで、左右寸法がマット上部２１の半分より若干小さな矩形状に形成され、マット上部２１の下面左右（上記ポンジ生地）に中央部に所定間隔を置いて縫い付けられている。左右のマット下部２５Ｌ，２５Ｒはそれぞれ、下敷マット１０（上生地１２）と接する下生地２６とポリエステル１００％のポンジ生地（図示せず）の間に、発砲ポリエチレンとポリエステル１００％の綿を積層して、下生地２６と上記ポンジ生地を縫い合わせて構成されている。下生地２６は、ナイロンオックス生地（アクリルコートが施されたナイロン１００％生地）が用いられており、下敷マット１０に対して摩擦抵抗が少なく滑りやすい素材が用いられている。マット上部２１の下面の中央部分（左右のマット下部２５Ｌ，２５Ｒが縫い付けられていない部分）にも、下生地２６と同じナイロンオックス生地が前後方向に延びて縫い付けられている。このように運搬マット２０も多重層構造となっている。
【００２２】
本実施形態に係る運搬具１では、荷物を運搬する方向（前後方向）の摩擦係数が、それと直交する方向（左右方向）の摩擦係数よりも小さくなるように、下敷マット１０の上生地１２と運搬マット２０の下生地２６の方向特性の組み合わせが設定されている。実際には、下敷マット１０の上生地１２と運搬マット２０の下生地２６との摩擦係数は、荷物を運搬する方向（前後方向）においては、静止摩擦係数が０．２０７となっており、動摩擦
係数が０．２８６となっている。一方、左右方向においては、静止摩擦係数が０．６３７となっており、動摩擦係数が０．６３０となっている。このように下敷マット１０の上生地１２と運搬マット２０の下生地２６は、荷物を運搬する方向の摩擦係数が小さくなるように、その方向特性の組み合わせに設定されている。
【００２３】
図５および図６に示すように、マット上部２１と左マット下部２５Ｌの間には、運搬マット２０の面方向に延びてマット上部２１の中央側に開口部２８ａを有する２つのポケット２８が前後に並んで形成されている。また、マット上部２１と右マット下部２５Ｒの間にも、同様の２つのポケット２８が前後に並んで形成されている。このように運搬マット２０は、運搬マット２０の面を４つに分割して並んで設けられた４つのポケット２８を備えて構成されている。４つのポケット２８の開口部２８ａにはそれぞれ面ファスナー２９が設けられており、開口部２８ａを閉じた状態で保持できるようになっている。４つのポケット２８にはそれぞれ矩形状の平板部材３０が着脱可能になっている。
【００２４】
平板部材３０は、ポリプロピレン発砲樹脂を用いて矩形プレート状に形成されている。平板部材３０は、荷物の荷重が加わったときに容易に変形しない程度の剛性を有し、さらには、荷物によって点荷重が加わったときに、その点荷重によって容易に窪まない程度の剛性を有している。このように平板部材３０は耐荷重性を有している。なお、平板部材３０は、このような耐荷重性を有していれば、樹脂材料以外の材料、例えば金属材料や木材を用いて形成されてもよい。ただし、上記のような樹脂材料を用いることにより、耐荷重性を有しつつ、軽量な平板部材とすることができる。
【００２５】
図３および図４に示すように、運搬マット２０の前部には、左右の把手ベルト２３Ｌ，２３Ｒが取り付けられている。左右の把手ベルト２３Ｌ，２３Ｒはそれぞれ、長尺帯状のアクリル１００％の素材が用いられている。左把手ベルト２３Ｌは、一端部が運搬マット２０の左端部に取り付けられ、他端部が運搬マット２０の中央側に取り付けられて環状（Ｕ字状）になっている。運搬マット２０の左端部に取り付けられた左把手ベルト２３Ｌの一端部は、運搬マット２０の左端部内を後端側まで延びるとともに、その左把手ベルト２３Ｌ全体が運搬マット２０に縫い付けられている。さらに、左把手ベルト２３Ｌの一端部は、運搬マット２０の後部から突出し、所定の長さ突出した所で前方に折り返して運搬マット２０の左端部内に戻って運搬マット２０に縫い付けられている。このように左把手ベルト２３Ｌの一端部は、運搬マット２０の後部から突出して左後側把手部２４Ｌを形成している。また、運搬マット２０の中央側に取り付けられた左把手ベルト２３Ｌの他端部も、運搬マット２０内を後端側まで延びるとともに、その左把手ベルト２３Ｌ全体が運搬マット２０に縫い付けられている。
【００２６】
右把手ベルト２３Ｒは、上記左把手ベルト２３Ｌと同様に、一端部が運搬マット２０の右端部に取り付けられ、他端部が運搬マット２０の中央側に取り付けられて環状（Ｕ字状）になっている。運搬マット２０の右端部に取り付けられた右把手ベルト２３Ｒの一端部は、運搬マット２０の右端部内を後端側まで延びるとともに、その右把手ベルト２３Ｒ全体が運搬マット２０に縫い付けられている。さらに、右把手ベルト２３Ｒの一端部は、運搬マット２０の後部から突出し、所定の長さ突出した所で前方に折り返して運搬マット２０の右端部内に戻って運搬マット２０に縫い付けられている。このように右把手ベルト２３Ｒの一端部は、運搬マット２０の後部から突出して右後側把手部２４Ｒを形成している。また、運搬マット２０の中央側に取り付けられた右把手ベルト２３Ｒの他端部も、運搬マット２０内を後端側まで延びるとともに、その右把手ベルト２３Ｌ全体が運搬マット２０に縫い付けられている。
【００２７】
運搬マット２０の後部（左右の後側把手部２４Ｌ，２４Ｒの内側の位置）には、左右の固定ベルト４１Ｌ，４１Ｒがマット上部２１（上生地２２）の上面に縫い付けられている
。左右の固定ベルト４１Ｌ，４１Ｒは、運搬マット２０の後方に若干突出する長さの帯状のターポリン生地（ビニール系素材）が用いられている。左右の固定ベルト４１Ｌ，４１Ｒはそれぞれ、先端部（後端部）の上面および下面に面ファスナー４２のフック部４２ａが設けられ、基端部に面ファスナー４２のループ部４２ｂが設けられている。また、運搬マット２０（マット上部２１）の前部上面には、左右の固定ベルト４１Ｌ，４１Ｒと対応する位置に面ファスナー４２のループ部４２ｂが設けられている。
【００２８】
以上のように構成された運搬具１によれば、図７に示すように、下敷マット１０の下生地１１が床面と接するように下敷マット１０を敷設して、その下敷マット１０の上生地１２と運搬マット２０（マット下部２５Ｌ，２５Ｒ）の下生地２６とが接するように下敷マット１０の上に運搬マット２０を載置する。そして、運搬マット２０の上に荷物Ｌを載置し、運搬マット２０の左右の把手ベルト２３Ｌ，２３Ｒを引っ張って運搬マット２０を下敷マット１０の上を滑らせることにより、荷物Ｌを運搬することができる。このとき、左右の把手ベルト２３Ｌ，２３Ｒの一端部がそれぞれ運搬マット２０の左端部および右端部に取り付けられているため、運搬マット２０の左端部および右端部が捲り上がった状態となり、その捲り上がった部分によって運搬マット２０上の荷物Ｌの前方側左右端部をそれぞれ包み込む状態とすることができる。そのため、運搬時に荷物Ｌの前方側左右端部が周囲の壁等に衝突しても、運搬マット２０がクッションとなって荷物や壁等が損傷することを防ぐことができる。
【００２９】
また、荷物Ｌが、例えば冷蔵庫や洗濯機等のように、重く且つ点で荷重が加わる荷物である場合には、運搬マット２０の４つのポケット２８内にそれぞれ平板部材３０を装着することが可能に構成されている。そのため、平板部材３０が点荷重を受け止めて、運搬マット２０の下面（下敷マット１０と接する下生地２６）に点荷重による窪みが生じるのを防ぐことができる。従って、重く且つ点荷重が加わる荷物であっても、運搬マット２０が下敷マット１０上を滑り難くなることを防ぐことができ、容易に運搬することができる。なお、軽い荷物を運搬する場合であっても、４つのポケット２８内にそれぞれ平板部材３０を装着した状態であってもよい。
【００３０】
また、運搬具１では、左右の把手ベルト２３Ｌ，２３Ｒがそれぞれ運搬マット２０内を後端側まで延びるとともに、その把手ベルト２３Ｌ，２３Ｒ全体が運搬マット２０に縫い付けられているため、左右の把手ベルト２３Ｌ，２３Ｒの運搬マット２０への取り付け強度を向上させることができる。また、左右の把手ベルト２３Ｌ，２３Ｒの一端部がそれぞれ運搬マット２０の後部から突出して左右の後側把手部２４Ｌ，２４Ｒを形成しているため、運搬マット２０の後部に新たな把手部材を取り付けることなく、後端側にも把手部を設けることができる。また、左右の把手ベルト２３Ｌ，２３Ｒを繋ぐようにもう１つのベルト部材を取り付け、このベルト部材を肩に掛けるようにして引っ張ることにより、より一層重たい荷物でも容易に運搬することができる。
【００３１】
また、運搬具１では、下敷マット１０の上生地１２と運搬マット２０の下生地２６が、荷物を運搬する方向の摩擦係数が小さくなるように、その方向特性の組み合わせに設定されている。そのため、下敷マット１０に対する運搬マット２０の滑りが良くなり、運搬がより一層容易になる運搬具とすることができる。
【００３２】
また、運搬具１によれば、荷物の運搬が終わった場合には、図８および図９に示すように、下敷マット１０を折り畳んで小さくし、その下敷マット１０を運搬マット２０の下面（マット下部２５Ｌ，２５Ｒの下生地２６）の前方側に載置する。そして、運搬マット２０の後部を前方側に折り返して、左右の固定ベルト４１Ｌ，４１Ｒに設けられた面ファスナー４２のフック部４２ａを、運搬マット２０の前部に設けられた面ファスナー４２のループ部４２ｂに貼り付けることにより、運搬マット２０の内部に下敷マット１０を収納し
て運搬具１を持ち運ぶことができる状態とすることができる。なお、運搬マット２０の内部には、２枚の下敷マット１０を収納することができるようになっている。
【００３３】
また、このとき、運搬マット２０において、４つのポケット２８が運搬マット２０の面を４つに分割して並んで設けられ、４つのポケット２８にそれぞれ平板部材３０が装着されるようになっているため、４つのポケット２８にそれぞれ平板部材３０を装着したままの状態であっても、運搬マット２０を折り畳むことができ、運搬具１を容易に持ち運ぶことができる。
【００３４】
なお、運搬具１を用いて荷物の運搬を行うときには、左右の固定ベルト４１Ｌ，４１Ｒを前方側に折り返して先端部の面ファスナー４２のフック部４２ａを基端部のループ部４２ｂに貼り付けることにより、左右の固定ベルト４１Ｌ，４１Ｒが運搬時の邪魔にならないようにすることができるようになっている。
【００３５】
なお、上述の実施形態では、運搬マット２０に左右２つの把手ベルト２３Ｌ，２３Ｒが取り付けられているが、一端部を運搬マット２０の左端部に取り付けられるとともに、他端部を運搬マット２０の右端部に取り付けられた１つの把手ベルトを備える構成としてもよい。また、上述の実施形態では、運搬マット２０において、４つのポケット２８が運搬マット２０の面を４つに分割して並んで設けられているが、前後もしくは左右に分割して並んだ２つのポケットを備える構成としてもよい。また、３つもしくは５つ以上に分割して並んだポケットを備える構成としてもよい。
【符号の説明】
【００３６】
１    運搬具
１０  下敷マット
２０  運搬マット
２３Ｌ  左把手ベルト（把手部材）
２３Ｒ  右把手ベルト（把手部材）
２４Ｌ  左後側把手部
２４Ｒ  右後側把手部
２８  ポケット
３０  平板部材
【図１】
2017030964.tif 000003
【図２】
2017030964.tif 000004
【図３】
2017030964.tif 000005
【図４】
2017030964.tif 000006
【図５】
2017030964.tif 000007
【図６】
2017030964.tif 000008
【図７】
2017030964.tif 000009
【図８】
2017030964.tif 000010
【図９】
2017030964.tif 000011